(57)【要約】【課題】  液晶表示装置内に設けられた各種装置のレイアウトを合理的に行い、液晶表示装置内の無駄なスペースを軽減し、小型であると共に薄型化を図った液晶表示装置を提供する。【解決手段】  液晶テレビジョン受像機１のキャビネット内に、スピーカー１０,１０、記録再生装置１１、液晶表示ユニット１２、及び液晶表示ユニット１２を制御するインバータ回路を構成するインバータ基板１３を備えている。液晶表示ユニット１２の側部に液晶表示ユニット１２の高さ寸法Ｈ１より低い高さ寸法Ｈのスピーカー１０，１０を配置させ、スピーカー１０，１０の上方に形成される空間部２０にインバータ基板１３を配置する。これにより、高さ寸法（Ｈ１−Ｈ）の差により形成される空間部２０にインバータ基板１３を配置でき、キャビネット内の空いたスペースである空間部２０を無駄なく有効的に活用でき、小型且つ薄型化を図った液晶表示装置を提供することができる。【選択図】      図４
2005277635.tif 000002
【特許請求の範囲】
【請求項１】
キャビネット内に、スピーカー、記録再生装置、液晶表示ユニット、及び前記液晶表示ユニットを制御するインバータ回路を構成するインバータ基板を備えた液晶表示装置において、前記液晶表示パネルの側部にこの液晶表示ユニットの高さ寸法より高さ寸法の小さい前記スピーカーを配置させ、前記スピーカーの上方に形成される前記キャビネット内の空間部に前記インバータ基板を配置したことを特徴とする液晶表示装置。
【請求項２】
前記スピーカーの上方に形成される前記キャビネット内の空間部に代えて、前記スピーカーの下方に形成される前記キャビネット内の空間部としたことを特徴とする請求項２記載の液晶表示装置。
【請求項３】
前記液晶ユニットの背面部に前記記録再生装置を設けると共に、前記インバータ基板の配置された前記空間部に臨む位置に前記記録再生装置を配置したことを特徴とする請求項１又は２記載の液晶表示装置。
【請求項４】
前記スピーカーは、前記キャビネット内に設けられると共に前記液晶表示ユニットの左右側部に１対配置されていることを特徴とする請求項１〜３記載の何れか１項に記載の液晶表示装置。
【請求項５】
前記キャビネットは、前後に着脱可能なフロントキャビネットとバックキャビネットからなり、前記フロントキャビネット側に前記液晶表示ユニットと前記記録再生装置とを取り付けたことを特徴とする請求項１〜４記載の何れか１項に記載の液晶表示装置。
【発明の詳細な説明】
【技術分野】
【０００１】
本発明は、液晶テレビジョン受像機などの液晶表示装置に係るものであり、詳しくは、液晶表示装置に設けられた各種基板及記録再生装置などの配置構成を配慮し、液晶表示装置の全体を小型、且つ薄型化を図った液晶表示装置に関する。
【背景技術】
【０００２】
近年用いられている液晶表示装置は、従来から使用されているいわゆるブラウン管による表示装置に比べ、小型、且つ軽量であることから消費者のニーズと合致していることから、普及化が急速に進んでいる。
【０００３】
図５は、従来から用いられているフロントキャビネット１０２とリアキャビネット１０３から外形を一体的に形成する液晶テレビジョン受像機１０１を上方から見た状態を示す断面図である。同図に示す従来の液晶テレビジョン受像機１０１においては、この液晶テレビジョン受像機１０１内に、各種回路基板１１３や記録再生装置１１１を備えていることから、これらの配置が複雑にレイアウトされている。図５に示す液晶テレビジョン受像機１においては、その前後方向（図５に示す上下方向）において、液晶表示ユニット１１２、回路基板１１３、記録再生装置などの装置１１１が、前後方向に重なるようにして配置されている。ところで、このような記録再生装置を備えた液晶テレビジョン受像機に関する従来技術が特許文献１などには開示されている。
【０００４】
【特許文献１】特開平５−５３０９９号公報
【発明の開示】
【発明が解決しようとする課題】
【０００５】
上記背景技術においては、液晶テレビジョン受像機の前後方向の寸法が、液晶表示ユニット、回路基板、記録再生装置などの装置等が、液晶テレビジョン受像機の前後方向に重なるようにして３つ以上配置されていることから、液晶テレビジョン受像機たる液晶表示装置の前後方向の寸法が厚くなってしまい、液晶表示装置を薄型で小型化を図ることが困難であった。
【０００６】
本発明は上記課題を鑑みてなされたものであり、液晶表示装置内に設けられた各種装置のレイアウトを合理的に行い、液晶表示装置内の無駄なスペースを軽減し、小型であると共に薄型化を図った液晶表示装置を提供することを目的とする。
【課題を解決するための手段】
【０００７】
請求項１に係る液晶表示装置は、キャビネット内に、スピーカー、記録再生装置、液晶表示ユニット、及び前記液晶表示ユニットを制御するインバータ回路を構成するインバータ基板を備えた液晶表示装置において、前記液晶表示ユニットの側部にこの液晶表示ユニットの高さ寸法より高さ寸法の小さい前記スピーカーを配置させ、前記スピーカーの上方に形成される前記キャビネット内の空間部に前記インバータ基板を配置したことを特徴とする。
【０００８】
請求項１の構成によれば、液晶表示ユニットの高さ寸法より小さい高さ寸法の前記スピーカーを配置したことにより、高さ寸法の差により形成されるスピーカー上方に形成される空間部にインバータ基板を配置することが可能となる。従って、このような空間部にインバータ回路を配置させ、キャビネット内の空いたスペースである空間部を無駄なく有効的に活用することができる。さらに、液晶表示ユニットの側部の空間部にインバータ基板を配置したことで、例えば、従来の液晶表示装置のように、このインバータ基板と、液晶表示ユニットと記録再生装置とを、液晶表示装置の前後方向に重なるように配置しなくて済むので、キャビネットを薄型化することができる。
【０００９】
請求項２に係る液晶表示装置は、請求項１記載の液晶表示装置において、前記スピーカーの上方に形成される前記キャビネット内の空間部に代えて、前記スピーカーの下方に形成される前記キャビネット内の空間部としたことを特徴とする。
【００１０】
請求項２の構成によれば、液晶表示ユニットの高さ寸法より小さい高さ寸法の前記スピーカーを配置したことにより、高さ寸法の差により形成されるスピーカー下方に形成される空間部にインバータ基板を配置することが可能となる。従って、このような空間部にインバータ回路を配置させ、キャビネット内の空いたスペースである空間部を無駄なく有効的に活用することができる。
【００１１】
請求項３に係る液晶表示装置は、請求項１又は２記載の液晶表示装置において、前記液晶ユニットの背面部に前記記録再生装置を設けると共に、前記インバータ基板の配置された前記空間部に臨む位置に前記記録再生装置を配置したことを特徴とする。
【００１２】
請求項３の構成によれば、記録再生装置が液晶パネルの背面部に設けられているので、記録再生装置と液晶表示ユニットとの間に無駄な空間が無くなり、キャビネットの奥行き寸法を小さくできるので、液晶表示装置を小型且つ薄型化することができる。また、空間部に臨んで記録再生装置を配置しているので、記録媒体を記録再生装置で記録や再生をしている状態に発生する発熱を空間部から効果的に放熱することができる。
【００１３】
請求項４に係る液晶表示装置は、請求項１〜３記載の何れか１項に記載の液晶表示装置において、前記スピーカーは、前記キャビネット内に設けられると共に前記液晶表示ユニットの左右側部に１対配置されていることを特徴とする。
【００１４】
請求項４の構成によれば、液晶表示ユニットの左右側部にスピーカーが１対配置されていることにより、左右の各スピーカーからそれぞれ異なる音声を出力することができるので、音声を単一系統で出力するのではなく、臨場感のある音声を得ることができる。また、いずれのスピーカーにおいても、その上部又は下部に空間部が形成されるので、一方の空間部にインバータ基板を配置させ、適宜必要に応じて、他方の空間部においても、各種基板や装置などを配置することが可能なので拡張性に優れる。
【００１５】
請求項５に係る液晶表示装置は、請求項１〜４記載の何れか１項に記載の液晶表示装置において、前記キャビネットは、前後に着脱可能なフロントキャビネットとバックキャビネットからなり、前記フロントキャビネット側に前記液晶表示ユニットと前記記録再生装置が取り付けられていることを特徴とする。
【００１６】
請求項５の構成によれば、液晶表示ユニットと記録再生装置は、液晶表示装置を構成する各種装置などの中では、相対的に重量の重いものである。このような重量の重い液晶表示ユニットと記録再生装置とを、着脱可能な２つのキャビネットの内の一方のキャビネットであるフロントキャビネットに取り付けられた状態において、このようなフロントキャビネットに対し、重量の重い装置などが取り付けられていない独立したバックキャビネットを取り付けることができるので、フロントキャビネットへのバックキャビネットの取り付け作業を容易に行うことができ、作業性に優れる。
【発明の効果】
【００１７】
請求項１に係る液晶表示装置の発明によれば、キャビネット内に、スピーカー、記録再生装置、液晶表示ユニット、及び前記液晶表示ユニットを制御するインバータ回路を構成するインバータ基板を備えた液晶表示装置において、前記液晶表示ユニットの側部にこの液晶表示ユニットの高さ寸法より小さい高さ寸法の前記スピーカーを配置させ、前記スピーカーの上方に形成される前記キャビネット内の空間部に前記インバータ基板を配置したものであり、空間部にインバータ基板を配置させ、キャビネット内の空いたスペースである空間部を無駄なく有効的に活用することができると共に、インバータ基板を液晶表示ユニットの側部の空間部に配置したことで、キャビネットを小型且つ薄型化することができる。よって、小型且つ薄型化を図った液晶表示装置を提供することができる。
【００１８】
請求項２に係る液晶表示装置の発明によれば、請求項１において、前記スピーカーの上方に形成される前記キャビネット内の空間部に代えて、前記スピーカーの下方に形成される前記キャビネット内の空間部としたから、キャビネット内の空間部にインバータ基板を配置させ、キャビネット内の空いたスペースである空間部を無駄なく有効的に活用することができる。さらに、液晶表示ユニットの側部の空間部にインバータ基板を配置したことで、キャビネットを薄型化することができるので、小型且つ薄型化を図った液晶表示装置を提供することができる。
【００１９】
請求項３に係る液晶表示装置の発明によれば、請求項１又は２において、前記液晶表示ユニットの背面部に前記記録再生装置を設けると共に、前記インバータ基板の配置された前記空間部に臨む位置に前記記録再生装置を配置したものであり、記録再生装置と液晶表示ユニットとの間に無駄な空間が無くなり、キャビネットの奥行き寸法を小さくできるので、液晶表示装置を小型且つ薄型化することができる。また、空間部に臨んで記録再生装置を配置しているから、記録媒体を記録再生装置で記録や再生をしている状態に発生する発熱を空間部から効果的に放熱することができるので、放熱性に優れ液晶表示装置が故障を引き起こすことを回避できる。
【００２０】
請求項４の液晶表示装置の発明によれば、請求項１〜３記載の何れか１項において、前記スピーカーは、前記キャビネット内に設けられると共に前記液晶表示ユニットの左右側部に１対配置されているから、左右の各スピーカーからそれぞれ異なる音声を出力することができるので、音声を単一系統で出力するのではなく、臨場感のある音声を得ることができる。また、いずれのスピーカーにおいても、その上部若しくは下部に空間部が形成されているので、一方の空間部にインバータ回路を配置させ、適宜必要に応じて、他方の空間部においても、各種基板や装置などを配置することが可能なので拡張性に優れる。
【００２１】
請求項５の液晶表示装置の発明によれば、請求項１〜４記載の何れか１項において、前記キャビネットは、前後に着脱可能なフロントキャビネットとバックキャビネットからなり、前記フロントキャビネット側に前記液晶表示ユニットと前記記録再生装置が取り付けられているものであり、重量の重い液晶表示ユニットと記録再生装置とを備えたフロントキャビネットに、独立したバックキャビネットを取り付けることができるので、フロントキャビネットへのバックキャビネットの取り付け作業を容易に行うことができ、作業性に優れ生産効率が向上する。
【発明を実施するための最良の形態】
【００２２】
以下、本発明を実施するための最良の形態としての実施例を図１〜図４により以下に説明する。もちろん、本発明は、その発明の趣旨に反しない範囲で、実施例において説明した以外の構成のものに対しても容易に適用可能なことは説明を要するまでもない。
【００２３】
図１は、本実施例における液晶表示装置たる液晶テレビジョン受像機の正面図であり、図２は、本発明の一例である液晶テレビジョン受像機のバックキャビネットを取り外した状態を示す背面図である。液晶表示装置たる液晶テレビジョン受像機１は、その外形が合成樹脂製のキャビネットにより形成され、このキャビネットは、全体が前後方向（図４に示す上下方向）に薄い箱型に形成されていて、前後に着脱可能に分割されるフロントキャビネット２とバックキャビネット３からなっている。また、フロントキャビネット２の正面側中央には、後述する液晶表示ユニットの正面側に表示窓４を有していて、この表示窓４に画像が表示されるようになっている。
【００２４】
また、フロントキャビネット２とバックキャビネット３からなるキャビネット内には、図２に示すように、１対のスピーカー１０，１０、記録再生装置１１、液晶表示ユニット１２、インバータ基板１３、リアルタイムで動画と音声の圧縮・伸長の機能を実現するＭＰＥＧ基板１４、ＬＣＤ（ｌｉｑｕｉｄ  ｃｒｙｓｔａｌ  ｄｉｓｐｌａｙ）基板１５等が主要に構成されている。なお、これらの主要な構成は、バックキャビネット３側ではなくフロントキャビネット２側に取り付けられている。なお、フロントキャビネット２側に取り付けられているとは、フロントキャビネット２とバックキャビネット３を分割した際、フロントキャビネット２側に、前述した主要な構成が備えられていることである。
【００２５】
また、ここで主要な構成の機能等について説明すると、記録再生装置１１は、ＤＶＤ（ｄｉｇｉｔａｌ  ｖｉｄｅｏｄｉｓｋ）などの光ディスクＤから信号を読み出すためのピックアップや、光ディスクＤを回転させ挿入排出することができ、記録再生装置１１に構成されているピックアップレンズを移動させて、光ディスクＤの記録及び再生、或いはこれらの内のいずれか一方を行うことを可能とする。なお、この記録再生装置１１には、バックキャビネット３に形成されている開口した挿入排出口３Ａから、液晶テレビジョン受像機１の操作者により、光ディスクＤを記録再生装置１１に挿入及び排出できるようになっている。
【００２６】
また、液晶表示ユニット１２は、液晶パネルとこの液晶パネルを駆動する回路とバックライトが一体となっている。また、液晶表示ユニット１２は、ＬＣＤ基板１５と図示しない配線などにより電気的に接続されており、液晶表示ユニット１２とＬＣＤ基板１５とは、液晶表示ユニット１２の液晶パネルに画像を映し出すための映像信号である、デジタルＲＧＢ信号などや、液晶表示ユニット１２を正常に駆動させるための制御信号などの入出力がされるものである。
【００２７】
インバータ基板１３には、液晶表示ユニット１２にバックライトを点灯させるためのインバータ回路を構成しており、インバータ基板１３の入力側は、ＬＣＤ基板１５から直流電源とオン／オフの制御信号が供給されるようになっている。一方、インバータ基板１３の出力側は、交流電源により液晶表示ユニット１２のバックライトに接続されている。なお、インバータ基板１３は、前述したようにインバータ回路を構成し、液晶表示ユニット１２に一体となっているバックライトの点灯／消灯の制御や、バックライトの明るさ調整なども制御するものである。
【００２８】
また、ＭＰＥＧ基板１４には、記録再生装置１１に挿入された光ディスクＤから読み出したデジタル信号を、アナログの映像信号と音声信号に変換する回路と、記録再生装置１１を制御する回路が構成されていて、本実施例においては、ＭＰＥＧ基板１４は、記録再生装置１１に挿入された光ディスクＤにＭＰＥＧ方式などの所定の方式によりデータが圧縮されているデジタル信号が記録されているものを、それを圧縮される以前の映像信号と音声信号に変換可能とするものである。
【００２９】
また、ＬＣＤ基板１５には、アナログの映像信号をデジタル信号に変換する回路と、液晶表示ユニット１２に映像を映し出すことを制御する回路が構成されており、適宜必要に応じて、図示はしないがテレビ放送などの電波を受信するチューナ、或いは、外部入力端子、外部出力端子、交流入力端子などが設けられている。
【００３０】
次に、上記主要な構成に係る液晶テレビジョン受像機１のキャビネット内への配置構成等を説明する。
【００３１】
キャビネットは、前述したように、外形がフロントキャビネット２とバックキャビネット３からなり前後方向に薄い箱型に形成されている。そして、フロントキャビネット２の正面側（図４に示す上部）の中央に厚さの薄い箱型の液晶表示ユニット１２が、フロントキャビネット２に対してネジなどにより取り付けられている。また、この液晶表示ユニット１２の左右側部には、１対のスピーカー１０，１０が、フロントキャビネット２にネジによりネジ止めされて固定され、フロントキャビネット２の正面側中央には、長方形型の表示窓４を有する液晶表示ユニット１２が設けられていて、前述したように液晶表示ユニット１２の表示窓４に画像が表示されるようになっている。
【００３２】
また、スピーカー１０，１０は、それぞれほぼ同形状に形成されていて、これらスピーカー１０，１０の高さ寸法Ｈは、液晶表示ユニット１２の高さ寸法Ｈ１より小さく形成されていて、本実施例においては、液晶表示ユニット１２とスピーカー１０，１０との下端の位置を、ほぼ同じ位置に配置することで、各々のスピーカー１０，１０の上方であるキャビネット内に空間部２０が形成され、図４に示すように、この空間部２０，２０の内の何れか一方に、インバータ基板１３が配置され、このインバータ基板２０がフロントキャビネット２にネジ止めされて固定されている。なお、本実施例においては、この空間部２０，２０は、スピーカー１０，１０の上方に形成されてはいるが、これらのスピーカー１０，１０の位置を上方に配置することで、スピーカー１０，１０の下方に空間部２０を形成することも可能であり、特に、前述した位置にスピーカー１０，１０を配置することに限定するものではない。
【００３３】
また、記録再生装置１１は、全体が箱型に形成されていて、液晶表示ユニット１２の背面部１２Ｅに、当接された状態でネジなどにより取り付けられている。なお、この場合、記録再生装置１１の何れかの一面全てが、記録再生装置１１に当接されて取り付けられているのではなく、図４に示すように、前述した空間部２０に対して記録再生装置１１の一部位が臨むようにして、液晶表示ユニット１２に記録再生装置１１が取り付けられ、記録再生装置１１に光ディスクＤを、液晶テレビジョン受像機１の側部に形成されている挿入排出口３Ａから挿入及び排出できるもので、このように液晶テレビジョン受像機１の側部に記録再生装置１１を配置することにより、液晶テレビジョン受像機１を操作する操作者は、液晶表示ユニット１２の表示窓４に画像を表示した状態で、記録再生装置１１に挿入排出口３Ａを介して、記録再生装置１１に光ディスクＤを挿入及び排出できるので、操作性に優れるものである。
【００３４】
また、平板状のＭＰＥＧ基板１４及びＬＣＤ基板１５は、液晶表示ユニット１２の背面部１２Ｅに臨んで、ＭＰＥＧ基板１４及びＬＣＤ基板１５の片面が背面部１２Ｅと隙間を空けて配置された状態で、ネジにより液晶表示ユニット１２の背面部１２Ｅに取り付けられている。
【００３５】
このように、本実施例における液晶テレビジョン受像機１は、そのキャビネット内に構成される主要な構成である、スピーカー１０，１０、記録再生装置１１、液晶表示ユニット１２、インバータ基板１３、リアルタイムで動画と音声の圧縮・伸長の機能を実現するＭＰＥＧ基板１４、ＬＣＤ基板１５等が、液晶テレビジョン受像機１の前後方向（図４に示す上下方向）に３つ以上重なる位置に配置されることがないように、キャビネット内の何れの部位においても２つ以下となるように、これらを配置しているので、フロントキャビネット２とバックキャビネット３からなるキャビネットの前後方向の寸法Ｄ１を極力小さくできる。従って、同寸である液晶テレビジョン受像機１の奥行き寸法Ｄ１（図４に示す上下方向）を小さくでき、従来から用いられている液晶テレビジョン受像機に比べ、薄型且つ小型化された液晶テレビジョン受像機１を提供することができる。
【００３６】
以上のように、本実施例における液晶表示装置たる液晶テレビジョン受像機１によれば、フロントキャビネット２とバックキャビネット３からなるキャビネット内に、スピーカー１０，１０、記録再生装置１１、液晶表示ユニット１２、及び液晶表示ユニット１２を制御するインバータ回路を構成するインバータ基板１３を備え、液晶表示ユニット１２の側部にこの液晶表示ユニット１２の高さ寸法Ｈ１より高さ寸法Ｈの小さいスピーカー１０，１０を配置させ、スピーカー１０，１０の上方に形成されるキャビネット内の空間部２０，２０にインバータ基板１３を配置したものであり、液晶表示ユニット１２の高さ寸法Ｈ１より小さい高さ寸法Ｈのスピーカー１０，１０を配置したことにより、高さ寸法の差（Ｈ１−Ｈ）により形成されるスピーカー１０，１０上方に形成される空間部２０にインバータ基板１３を配置することが可能となる。従って、このような空間部２０にインバータ基板１３を配置させ、キャビネット内の空いたスペースである空間部２０を無駄なく有効的に活用することができる。さらに、液晶表示ユニット１２の側部の空間部２０にインバータ基板１３を配置したことで、例えば、従来の液晶表示装置のように、インバータ基板と、液晶表示ユニットと記録再生装置とを、液晶テレビジョン受像機の前後方向に重なるように配置しなくて済むので、液晶テレビジョン受像機１のフロントキャビネット２とバックキャビネット３からなるキャビネットを小型且つ薄型化することができる。よって、小型且つ薄型化を図った液晶テレビジョン受像機１を提供することができる。さらに、別の実施例として、スピーカー１０，１０の上方に形成されるキャビネット内の空間部２０，２０に代えて、スピーカー１０，１０を液晶テレビジョン受像機１のキャビネット内の上方に配置することで、スピーカー１０，１０の下方に空間部２０，２０を形成した際は、スピーカー１０，１０の上方に空間部を形成した配置と同様に、液晶表示ユニット１２の高さ寸法Ｈ１より高さ寸法Ｈの小さいスピーカー１０，１０を配置したことで、高さ寸法の差（Ｈ１−Ｈ）により形成されるスピーカー１０，１０の下方に形成される空間部２０，２０に、インバータ基板１３を配置することが可能となる。従って、このような空間部２０にインバータ基板１３を配置させ、キャビネット内の空いたスペースである空間部２０を無駄なく有効的に活用することができ、液晶表示ユニット１２の側部の空間部２０にインバータ基板１３を配置したことで、液晶テレビジョン受像機１のキャビネットを薄型化することができるので、小型且つ薄型化を図った液晶テレビジョン受像機１を提供することができる。さらに、液晶表示ユニット１２の背面部１２Ｅに記録再生装置１１を取り付けて設けると共に、インバータ基板１３の配置された空間部２０に臨む位置に記録再生装置１１を配置したことで、記録再生装置１１が液晶表示ユニット１２の背面部１２Ｅに設けられるので、記録再生装置１１と液晶表示ユニット１２との間に無駄な空間が無くなり、キャビネットの奥行き寸法、すなわち液晶テレビジョン受像機１の奥行き寸法Ｄを小さくできるので、液晶テレビジョン受像機１を小型且つ薄型化することができる。また、いずれか一方の空間部２０に臨んで記録再生装置１１を配置しているので、光ディスクＤなどの記録媒体を記録再生装置１１で記録や再生をしている状態に発生する発熱を空間部から効果的に放熱することができるので、放熱性に優れ液晶テレビジョン受像機１が熱により故障を引き起こすことを回避できる。しかも、スピーカー１０，１０は、キャビネット内に設けられると共に液晶表示ユニット１２の左右側部に１対配置されているので、左右の各スピーカー１０，１０からそれぞれ異なる音声を出力することが可能であり、音声を単一系統で出力するのではなく、臨場感のある音声を得ることができる。また、いずれのスピーカー１０，１０においても、その上部又は下部に空間部２０，２０が形成されるので、一方の空間部２０にインバータ基板１３を配置させ、適宜必要に応じて、他方の空間部２０においても、各種基板や装置などを配置することが可能なので拡張性に優れる。さらに、キャビネットは、前後に着脱可能なフロントキャビネット２とバックキャビネット３からなり、フロントキャビネット２側に液晶表示ユニット１２と記録再生装置１１が取り付けられている。このような構成においては、液晶表示ユニット１２と記録再生装置１１とは、液晶テレビジョン受像機１を構成する各種装置などの中では、相対的に重量の重いものである。このような重量の重い液晶表示ユニット１２と記録再生装置１１とを、着脱可能な２つのキャビネットの内の一方のキャビネットであるフロントキャビネット２側に取り付けた状態においては、このようなフロントキャビネット２に対し、重量の重い装置などが取り付けられていない独立したバックキャビネット３をフロントキャビネット２に対して取り付けることができるので、フロントキャビネット２へのバックキャビネット３の取り付け作業を容易に行うことができ、作業性に優れ生産効率が向上する。
【００３７】
以上、本実施例の一実施例を詳述したが、本発明は、前記実施例に限定されるものではなく、本発明の要旨の範囲内で種々の変形実施が可能である。例えば、前記実施例では、液晶テレビジョン受像機１に適用した一例を示したが、液晶テレビジョン受像機１に限らず、ノート型、ディスクトップ型のパソコンあるいは携帯型情報端末機などの各種の液晶表示装置に広く適用可能である。また、本実施例においては、記録再生装置１１として、ＤＶＤなどの光ディスクを記録再生可能なものを示しているが、これに特に限定するものではなく、これに代えてハードディスク装置等であってもよい。また、記録再生装置１１とは、記録及び再生の両機能を有しているものであるが、これに限定するものではなく、何れか一方の機能を有するものであってもよいものである。また、本実施例における各種基板には、種々の電子部品等が実装されているものではあるが、本発明の要旨となるものではないので、図面への表示は省略している。
【図面の簡単な説明】
【００３８】
【図１】本実施例における液晶テレビジョン受像機の正面図である。
【図２】本実施例における液晶テレビジョン受像機のバックキャビネットを取り外した状態を示すフロントキャビネットの背面図である。
【図３】同上、記録再生装置を切り欠いた状態を示すフロントキャビネットの背面図である。
【図４】同上、液晶テレビジョン受像機を上方から見た状態を示す要部拡大断面図である。
【図５】従来例から用いられている液晶テレビジョン受像機を上方から見た状態を示す要部拡大断面図である。
【符号の説明】
【００３９】
１  液晶テレビジョン受像機（液晶表示装置）
２  フロントキャビネット（キャビネット）
３  バックキャビネット（キャビネット）
１０  スピーカー
１１  記録再生装置
１２  液晶表示ユニット
１３  インバータ基板
２０  空間部
Ｈ  スピーカーの高さ寸法
Ｈ１  液晶表示ユニットの高さ寸法
【図１】
2005277635.tif 000003
【図２】
2005277635.tif 000004
【図３】
2005277635.tif 000005
【図４】
2005277635.tif 000006
【図５】
2005277635.tif 000007